(57)【要約】【課題】歩留まりを向上すること。【解決手段】実施形態の検出器モジュール製造方法は、検出器モジュールを製造する方法である。検出器モジュールは、Ｘ線により発光するシンチレータアレイと、前記シンチレータアレイが発生した光を電気信号に変換するフォトダイオードアレイとが光学的に接合される。実施形態の検出器モジュール製造方法は、前記シンチレータアレイと前記フォトダイオードアレイとを、両面に接着面を有する透明接着シートにより接着する。そして、前記シンチレータアレイと前記フォトダイオードアレイとが前記透明接着シートを介して積層された構造体を、加圧により圧着する。【選択図】図５
2015049122.tif 000002
【特許請求の範囲】
【請求項１】
Ｘ線により発光するシンチレータアレイと、前記シンチレータアレイが発生した光を電気信号に変換するフォトダイオードアレイとが光学的に接合された検出器モジュールを製造する検出器モジュール製造方法であって、
前記シンチレータアレイと前記フォトダイオードアレイとを、両面に接着面を有する透明接着シートにより接着し、
前記シンチレータアレイと前記フォトダイオードアレイとが前記透明接着シートを介して積層された構造体を、加圧により圧着する、
ことを特徴とする検出器モジュール製造方法。
【請求項２】
前記構造体は、ローラにより圧着されることを特徴とする請求項１に記載の検出器モジュール製造方法。
【請求項３】
前記構造体は、柔軟な素材により形成された圧着パッドにより圧着されることを特徴とする請求項１に記載の検出器モジュール製造方法。
【請求項４】
請求項１〜３のいずれか１つに記載の検出器モジュール製造方法により製造されたことを特徴とする検出器モジュール。
【請求項５】
請求項１〜３のいずれか１つに記載の検出器モジュール製造方法により製造されたことを特徴とする検出器モジュールが複数配列された検出器と、
前記検出器が出力したデータを用いて医用画像データを生成するコンソール装置と、
を備えたことを特徴とする医用画像診断装置。
【発明の詳細な説明】
【技術分野】
【０００１】
本発明の実施形態は、検出器モジュール製造方法、検出器モジュール及び医用画像診断装置に関する。
【背景技術】
【０００２】
従来、固体検出器は、被検体を透過したＸ線の強度を電気信号に変換する検出器として、多くのＸ線コンピュータ断層撮影（ＣＴ：Computed  Tomography）装置に搭載されている。固体検出器は、Ｘ線の入射によりシンチレータ（scintillator）が発光したシンチレータ光をフォトダイオード（photodiode）により光電変換する検出器であり、複数の検出器モジュールにより構成される。
【０００３】
かかる検出器モジュールは、シンチレータアレイ（scintillator  array）とフォトダイオードアレイ（photodiode  array）とを光学的に接合することで製造される。一般的には、検出器モジュールは、シンチレータアレイとフォトダイオードアレイとを、ＵＶ（ultraviolet）硬化型接着剤等の液状接着剤で接着することで製造される。
【０００４】
しかし、接着剤で形成される接着層は、シンチレータアレイの反り等により、不均一となる場合がある。また、かかる製造方法は、接着剤を用いることにより、複雑な製造工程が必要となる。このため、かかる製造方法は、例えば、設備の機械障害による長時間の製造工程の停止（ドカ停）が発生したり、ランニングコストが増大したりする場合があった。このように、接着剤を用いた従来の製造方法は、歩留まりが低くなる場合がある。
【先行技術文献】
【特許文献】
【０００５】
【特許文献１】特開平９−５４１６２号公報
【発明の概要】
【発明が解決しようとする課題】
【０００６】
本発明が解決しようとする課題は、歩留まりを向上することができる検出器モジュール製造方法、検出器モジュール及び医用画像診断装置を提供することである。
【課題を解決するための手段】
【０００７】
実施形態の検出器モジュール製造方法は、検出器モジュールを製造する方法である。検出器モジュールは、Ｘ線により発光するシンチレータアレイと、前記シンチレータアレイが発生した光を電気信号に変換するフォトダイオードアレイとが光学的に接合される。実施形態の検出器モジュール製造方法は、前記シンチレータアレイと前記フォトダイオードアレイとを、両面に接着面を有する透明接着シートにより接着する。そして、前記シンチレータアレイと前記フォトダイオードアレイとが前記透明接着シートを介して積層された構造体を、加圧により圧着する。
【図面の簡単な説明】
【０００８】
【図１】図１は、本実施形態に係るＸ線ＣＴ装置の構成例を示す図である。
【図２Ａ】図２Ａは、図１に示す検出器の構成例を示す図（１）である。
【図２Ｂ】図２Ｂは、図１に示す検出器の構成例を示す図（２）である。
【図３Ａ】図３Ａは、シンチレータアレイの製造方法の一例を示す図（１）である。
【図３Ｂ】図３Ｂは、シンチレータアレイの製造方法の一例を示す図（２）である。
【図３Ｃ】図３Ｃは、シンチレータアレイの製造方法の一例を示す図（３）である。
【図３Ｄ】図３Ｄは、シンチレータアレイの製造方法の一例を示す図（４）である。
【図４】図４は、従来の検出器モジュール製造方法の一例を示す図である。
【図５】図５は、本実施形態に係る検出器モジュール製造方法の概要を示す図である。
【図６】図６は、図５に示す透明接着シートを説明するための図である。
【図７Ａ】図７Ａは、第１工程を説明するための図（１）である。
【図７Ｂ】図７Ｂは、第１工程を説明するための図（２）である。
【図８】図８は、第２工程を説明するための図（１）である。
【図９Ａ】図９Ａは、第２工程を説明するための図（２）である。
【図９Ｂ】図９Ｂは、第２工程を説明するための図（３）である。
【図１０Ａ】図１０Ａは、第２工程を説明するための図（４）である。
【図１０Ｂ】図１０Ｂは、第２工程を説明するための図（５）である。
【図１０Ｃ】図１０Ｃは、第２工程を説明するための図（６）である。
【図１０Ｄ】図１０Ｄは、第２工程を説明するための図（７）である。
【図１１】図１１は、第２工程を説明するための図（８）である。
【図１２】図１２は、本実施形態に係る検出器モジュール製造方法で製造された検出器モジュールを示す図である。
【発明を実施するための形態】
【０００９】
以下、添付図面を参照して、検出器モジュール製造方法の実施形態を詳細に説明する。以下の実施形態で製造される検出器モジュールは、シンチレータアレイとフォトダイオードアレイとが光学的に接合される。シンチレータアレイは、Ｘ線により発光し、フォトダイオードアレイは、シンチレータアレイが発生した光を電気信号に変換する。
【００１０】
以下では、検出器モジュール製造方法により製造される検出器モジュールが搭載される医用画像診断装置が、Ｘ線コンピュータ断層撮影（ＣＴ：Computed  Tomography）装置である場合を一例として説明する。
【００１１】
（実施形態）
まず、本実施形態に係る検出器モジュール製造方法により製造される検出器モジュールが搭載されるＸ線ＣＴ装置の構成について説明する。図１は、本実施形態に係るＸ線ＣＴ装置の構成例を示す図である。図１に示すように、本実施形態に係るＸ線ＣＴ装置は、架台装置１０と、寝台装置２０と、コンソール装置３０とを有する。
【００１２】
架台装置１０は、被検体ＰにＸ線を照射し、被検体Ｐを透過したＸ線の検出データから投影データを収集する装置であり、Ｘ線照射制御部１１と、Ｘ線発生装置１２と、検出器１３と、収集部１４と、回転フレーム１５と、架台駆動部１６とを有する。
【００１３】
回転フレーム１５は、後述するＸ線管１２ａを有するＸ線発生装置１２と検出器１３とを被検体Ｐの周囲で回転可能に支持する。回転フレーム１５は、Ｘ線発生装置１２と検出器１３とを被検体Ｐを挟んで対向支持し、後述する架台駆動部１６によって被検体Ｐを中心とした円軌道にて高速に回転する円環状のフレームである。
【００１４】
Ｘ線発生装置１２は、Ｘ線を発生し、発生したＸ線を被検体Ｐへ照射する装置であり、Ｘ線管１２ａと、ウェッジ１２ｂと、コリメータ１２ｃとを有する。
【００１５】
Ｘ線管１２ａは、Ｘ線を曝射する。具体的には、Ｘ線管１２ａは、後述するＸ線照射制御部１１により供給される高電圧により被検体ＰにＸ線ビームを発生する真空管である。Ｘ線管１２ａは、回転フレーム１５の回転にともない、Ｘ線ビームを被検体Ｐに対して曝射する。Ｘ線管１２ａは、ファン角及びコーン角を持って広がるＸ線ビームを発生する。
【００１６】
ウェッジ１２ｂは、Ｘ線管１２ａから曝射されたＸ線のＸ線量を調節するためのＸ線フィルタである。コリメータ１２ｃは、後述するＸ線照射制御部１１の制御により、ウェッジ１２ｂによってＸ線量が調節されたＸ線の照射範囲を絞り込むためのスリットである。
【００１７】
Ｘ線照射制御部１１は、高電圧発生部として、Ｘ線管１２ａに高電圧を供給する装置であり、Ｘ線管１２ａは、Ｘ線照射制御部１１から供給される高電圧を用いてＸ線を発生する。Ｘ線照射制御部１１は、Ｘ線管１２ａに供給する管電圧や管電流を調整することで、被検体Ｐに対して照射されるＸ線量を調整する。また、Ｘ線照射制御部１１は、コリメータ１２ｃの開口度を調整することにより、Ｘ線の照射範囲（ファン角やコーン角）を調整する。
【００１８】
架台駆動部１６は、回転フレーム１５を回転駆動させることによって、被検体Ｐを中心とした円軌道上でＸ線発生装置１２と検出器１３とを旋回させる。
【００１９】
検出器１３は、Ｘ線管１２ａから曝射され被検体Ｐを透過したＸ線を検出する。具体的には、検出器１３は、２次元状に配列された検出素子により、Ｘ線管１２ａから曝射されて被検体Ｐを透過したＸ線を検出する。図１に示す検出器１３は、被検体Ｐを透過したＸ線の強度分布を示すＸ線強度分布データを出力する２次元アレイ型検出器（面検出器）である。検出器１３には、チャンネル方向（図１に示すＹ軸方向）に配列された複数の検出素子（検出素子列）が、被検体Ｐの体軸方向（図１に示すＺ軸方向）に沿って複数列配列される。体軸方向は、スライス方向とも呼ばれる。例えば、検出器１３は、被検体Ｐの体軸方向に沿って３２０列に配列された検出素子列を有し、被検体Ｐを透過したＸ線強度分布データを広範囲に検出する。
【００２０】
図２Ａ及び図２Ｂは、図１に示す検出器の構成例を示す図である。図２Ａに例示するように、検出器１３は、検出器モジュール１３０が複数配列された構成となる。図２Ａに例示する検出器１３は、検出器モジュール１３０が、チャンネル方向（図１中のＹ軸方向）にＮ列、体軸方向（図１中のＺ軸方向）にＭ列配置された面検出器である。また、検出器モジュール１３０は、図２Ｂに例示するように、シンチレータアレイ１３１とフォトダイオードアレイ１３２とが接着層を介して光学的に接合される。
【００２１】
シンチレータアレイ１３１は、反射材により複数の区画に分割されている。その結果、シンチレータアレイ１３１は、複数のシンチレータがチャンネル方向及び体軸方向に格子状に高密度で配列された構成となる。各区画のシンチレータは、入射したＸ線のエネルギーに応じた光量の光（シンチレータ光）を発生する。
【００２２】
フォトダイオードアレイ１３２は、複数のフォトダイオードがチャンネル方向及び体軸方向に格子状に高密度で基板上に配列されている。フォトダイオードアレイ１３２は、基板上に作成され基台に取り付けられる。各フォトダイオードは、受光した光のエネルギーに応じた電気信号を出力する。シンチレータアレイ１３１の各区画（各シンチレータ）と、フォトダイオードアレイ１３２の各フォトダイオードとは、対向する位置に配列される。これにより、対向する位置に配列されたシンチレータとフォトダイオードとは、光学的に接合され、１つの検出素子を形成する。上記の反射材は、シンチレータ光を遮光し、且つ、反射する材質により形成され、個々のシンチレータが発生した光が、対向する位置のフォトダイオードで効率的に受光されるために形成される。
【００２３】
ここで、シンチレータアレイ１３１の製造方法の一例について、図３Ａ〜Ｄを用いて説明する。図３Ａ〜Ｄは、シンチレータアレイの製造方法の一例を示す図である。まず、図３Ａに例示するように、シンチレータ部材が直方体状のブロックに切り出されたシンチレータブロックと反射材とが交互にチャンネル方向に複数配列される。シンチレータブロックと反射材とは、接着剤により固定される。
【００２４】
そして、図３Ｂに示すように、図３Ａの製造工程で製造された製造物に、チャンネル方向に平行な溝が、体軸方向に沿って複数形成される。そして、図３Ｃに示すように、図３Ｂの製造工程で形成された溝に、反射材が挿入される。例えば、図３Ｃでは、図３Ｂの製造工程で形成された溝に接着剤が注入された後に、反射材が挿入される。以下、図３Ｃの製造工程で製造された製造物を、シンチレータブロック１３１１と記載する。
【００２５】
そして、シンチレータブロック１３１１で溝が切り込まれた面は、研磨される。更に、シンチレータブロック１３１１で溝が切り込まれた面と反対側の面は、反射材が露出するように研磨加工により切り落とされる。これにより、図３Ｄに示すシンチレータアレイ１３１が製造される。なお、シンチレータアレイ１３１のＸ線入射面には、最終的に、白色ペイント等により反射層（表面リフレクター）が形成される。図３に例示する製造方法により製造されたシンチレータアレイ１３１には、反りが発生する場合がある。具体的には、反射材を接着剤により各区画のシンチレータと接着したことにより、シンチレータアレイ１３１には、溝が切り込まれた面と反対側の面（切り落とし面）が突出する反りが発生する場合がある。
【００２６】
なお、シンチレータアレイ１３１の製造方法は、図３Ａ〜Ｄに例示する製造方法に限定されるものではない。例えば、反射材は、接着剤を用いる必要のない、液状反射材が用いられる場合であっても良い。また、シンチレータアレイ１３１は、平板状のシンチレータ部材に格子状の溝を形成し、この格子状の溝に液状反射材を注入することで製造される場合であっても良い。
【００２７】
図１に戻って、収集部１４は、ＤＡＳ（data  acquisition  system）であり、検出器１３が検出したＸ線の検出データを収集して、投影データを生成する。例えば、収集部１４は、検出器１３により検出されたＸ線強度分布データに対して、増幅処理やＡ／Ｄ変換処理等を行なって投影データを生成し、生成した投影データを後述するコンソール装置３０に送信する。
【００２８】
寝台装置２０は、被検体Ｐを載せる装置であり、天板２２と、寝台駆動装置２１とを有する。天板２２は、被検体Ｐが載置される板である。寝台駆動装置２１は、後述するスキャン制御部３３の制御のもと、天板２２をＺ軸方向へ移動することにより、被検体Ｐを回転フレーム１５内（撮影空間内）に移動させる。
【００２９】
架台装置１０は、例えば、天板２２を移動させながら回転フレーム１５を回転させて被検体Ｐをらせん状にスキャンするヘリカルスキャンを実行する。又は、架台装置１０は、天板２２を移動させた後に被検体Ｐの位置を固定したままで回転フレーム１５を回転させて被検体Ｐを円軌道にてスキャンするコンベンショナルスキャンを実行する。又は、架台装置１０は、天板２２の位置を一定間隔で移動させてコンベンショナルスキャンを複数のスキャンエリアで行なうステップアンドシュート方式を実行する。
【００３０】
コンソール装置３０は、操作者によるＸ線ＣＴ装置の操作を受け付けるとともに、検出器１３が出力したデータを用いてＸ線ＣＴ画像データを生成する装置である。すなわち、コンソール装置３０は、架台装置１０によって収集された投影データからＸ線ＣＴ画像データを再構成する装置であり、入力装置３１と、表示装置３２と、スキャン制御部３３と、前処理部３４と、投影データ記憶部３５と、画像再構成部３６と、画像記憶部３７と、制御部３８とを有する。
【００３１】
入力装置３１は、Ｘ線ＣＴ装置の操作者が各種指示や各種設定の入力に用いるマウスやキーボード、ボタン、ペダル（フットスイッチ）等を有し、操作者から受け付けた指示や設定の情報を、制御部３８に転送する。
【００３２】
表示装置３２は、操作者が参照するモニタであり、制御部３８による制御のもと、Ｘ線ＣＴ画像データを操作者に表示したり、入力装置３１を介して操作者から各種指示や各種設定等を受け付けるためのＧＵＩ（Graphical  User  Interface）を表示したりする。
【００３３】
スキャン制御部３３は、後述する制御部３８の制御のもと、Ｘ線照射制御部１１、架台駆動部１６、収集部１４及び寝台駆動装置２１の動作を制御することで、架台装置１０における投影データの収集処理を制御する。
【００３４】
前処理部３４は、収集部１４によって生成された投影データに対して、チャンネル間の感度補正処理と、対数変換処理と、オフセット補正、感度補正及びビームハードニング補正等の補正処理とを行なって、補正済みの投影データを生成する。以下では、前処理部３４が生成する補正済みの投影データを再構成用投影データと記載する。
【００３５】
投影データ記憶部３５は、前処理部３４により生成された再構成用投影データを記憶する。画像再構成部３６は、投影データ記憶部３５が記憶する再構成用投影データを用いてＸ線ＣＴ画像データを再構成する。再構成方法としては、種々の方法があり、例えば、逆投影処理が挙げられる。また、逆投影処理としては、例えば、ＦＢＰ（Filtered  Back  Projection）法による逆投影処理が挙げられる。或いは、画像再構成部３６は、逐次近似法を用いて、Ｘ線ＣＴ画像データを再構成しても良い。
【００３６】
また、画像再構成部３６は、ヘリカルスキャンや、面検出器である検出器１３を用いたコンベンショナルスキャン、ステップアンドシュート方式のコンベンショナルスキャンにより収集された投影データを用いて、３次元Ｘ線ＣＴ画像データを再構成することができる。例えば、画像再構成部３６は、複数のアキシャル面の断層像データとして３次元Ｘ線ＣＴ画像データを再構成する。また、画像再構成部３６は、３次元Ｘ線ＣＴ画像データから、各種レンダリング処理を行なって、表示用の２次元画像データを生成する。画像記憶部３７は、画像再構成部３６が生成した各種画像データを記憶する。
【００３７】
制御部３８は、架台装置１０、寝台装置２０及びコンソール装置３０の動作を制御することによって、Ｘ線ＣＴ装置の全体制御を行う。具体的には、制御部３８は、スキャン制御部３３を制御することで、架台装置１０で行なわれるスキャンを制御する。また、制御部３８は、前処理部３４や、画像再構成部３６を制御することで、コンソール装置３０における画像再構成処理や画像生成処理を制御する。また、制御部３８は、画像記憶部３７が記憶する各種画像データを、表示装置３２に表示するように制御する。
【００３８】
以上、本実施形態に係るＸ線ＣＴ装置の全体構成について説明した。かかる構成のもと、本実施形態に係るＸ線ＣＴ装置は、検出器１３が検出したデータを用いてＸ線ＣＴ画像データを生成する。ここで、上述したように、検出器１３は、複数の検出器モジュール１３０から構成され、各検出器モジュール１３０は、シンチレータアレイ１３１とフォトダイオードアレイ１３２とを光学的に接合することで製造される。図４は、従来の検出器モジュール製造方法の一例を示す図である。
【００３９】
従来の検出器モジュール製造方法では、図４に示すように、シンチレータアレイ１３１とフォトダイオードアレイ１３２とは、接着剤により接着される。かかる接着剤は、例えば、ＵＶ（ultraviolet）硬化型接着剤等の液状接着剤である。
【００４０】
しかし、接着剤で形成される接着層は、シンチレータアレイ１３１の反り等により、不均一となる場合がある。また、かかる製造方法は、接着剤を用いることにより、複雑な製造工程が必要となる。例えば、接着剤を用いる場合、接着前のシンチレータアレイ１３１とフォトダイオードアレイ１３２との間の距離（アレイ間距離）を一定の範囲にするための位置決め工程や、一定の範囲に位置決めされたアレイ間距離を保持する工程が必要となる。また、接着剤を用いる場合、例えば、接着剤の仮硬化及び本硬化を行なう工程や、余剰接着剤を除去する工程が必要となる。
【００４１】
このため、従来の製造方法は、例えば、設備の機械障害による長時間の製造工程の停止（ドカ停）が発生したり、ランニングコストが増大したりする場合があった。このように、従来の製造方法は、歩留まりが低くなる場合がある。
【００４２】
そこで、本実施形態に係る検出器モジュール１３０は、歩留まりを向上するために、以下の製造方法により製造される。図５は、本実施形態に係る検出器モジュール製造方法の概要を示す図である。本実施形態に係る検出器モジュール製造方法では、図５に示すように、シンチレータアレイ１３１とフォトダイオードアレイ１３２とを、両面に接着面を有する透明接着シート１３３により接着する。具体的には、透明接着シート１３３は、テープ式接着剤であり、例えば、ＯＣＡ（Optical  Clear  Adhesive）である。
【００４３】
本実施形態では、透明接着シート１３３を接着層とすることで、接着剤を用いる従来方法と比較して、シンチレータアレイ１３１とフォトダイオードアレイ１３２との間の距離を、透明接着シート１３３の厚みにより容易にコントロールできる。換言すると、本実施形態では、検出性能上、好適な厚みを有する透明接着シート１３３を製造又は購入するだけで、シンチレータアレイ１３１とフォトダイオードアレイ１３２との間の距離をコントロールすることができる。
【００４４】
例えば、本実施形態では、透明接着シート１３３の厚みは、シンチレータアレイ１３１とフォトダイオードアレイ１３２との間の距離が、検出器１３の性能上、最適な所定の範囲内となる厚みとされる。具体的には、本実施形態では、透明接着シート１３３の厚みは、反射材により複数の区画に分割されたシンチレータアレイ１３１の各区画のシンチレータが発生した光の略全てが、フォトダイオードアレイ１３２において対向する位置のフォトダイオードに入射する厚みとされる。接着層が厚い場合、シンチレータが発生した光が対向する位置のフォトダイオードとは別のフォトダイオードにて受光される可能性がある。本実施形態では、かかる可能性が略無い厚みの透明接着シート１３３を用いることで、検出器モジュール１３０の検出特性を安定化することができる。
【００４５】
また、図３Ａ〜Ｄに例示した製造方法によりシンチレータアレイ１３１に反りが発生している場合、個々の検出器モジュール１３０の検出特性にばらつきが生じ、画質が低下する。また、シンチレータアレイ１３１に反りが発生している場合、散乱線の発生によりアーチファクトが発生し、画質が低下する。しかし、本実施形態では、透明接着シート１３３でシンチレータアレイ１３１とフォトダイオードアレイ１３２とを接着することで、シンチレータアレイ１３１の反りを、ある程度矯正することができ、個々の検出器モジュール１３０の検出特性が均一となり、更に、散乱線の発生が軽減して、画質を向上させることができる。また、本実施形態に係る製造方法は、透明接着シート１３３を貼るという簡易な方法であるため、設備や工程も簡素化でき、コストを削減することができる。このようなことから、本実施形態では、検出器モジュール１３０の製造における歩留まりが向上する。
【００４６】
以下、本実施形態に係る検出器モジュール製造方法の具体例について説明する。本製造方法は、第１工程と第２工程との２つの工程に大別される。本実施形態に係る第１工程では、フォトダイオードアレイ１３２と透明接着シート１３３の一方の接着面とが接着される。本実施形態に係る第２工程では、シンチレータアレイ１３１と透明接着シート１３３の他方の接着面とが接着される。
【００４７】
まず、透明接着シート１３３について、図６を用いて説明する。図６は、図５に示す透明接着シートを説明するための図である。透明接着シート１３３は、図６に示すように、両面の接着面が剥離シート１３３ａ及び剥離シート１３３ｂにより保護されている。剥離シート１３３ａが剥離されることで、透明接着シート１３３の一方の接着面が露出し、剥離シート１３３ｂが剥離されることで、透明接着シート１３３の他方の接着面が露出する。剥離シート１３３ａ及び剥離シート１３３ｂは、例えば、セロハンテープを用いて手動で容易に剥がすことができる。透明接着シート１３３は、「剥離シート１３３ａ及び剥離シート１３３ｂで両面の接着層が保護された状態」、「剥離シート１３３ａが剥がされて一方の接着面が露出し、他方の接着面が剥離シート１３３ｂで保護された状態」、「剥離シート１３３ｂが剥がされて一方の接着面が露出し、他方の接着面が剥離シート１３３ａで保護された状態」及び「剥離シート１３３ａ及び剥離シート１３３ｂが剥がされて両面の接着層が露出した状態」のいずれかの状態となる。
【００４８】
次に、第１工程について、図７Ａ及びＢを用いて説明する。図７Ａ及びＢは、第１工程を説明するための図である。
【００４９】
第１工程では、フォトダイオードアレイ１３２と、透明接着シート１３３の一方の接着面とが接着される。例えば、第１工程では、作業者は、図７Ａに示すように、セロハンテープを剥離シート１３３ａの端部に貼り、セロハンテープを持ち上げることで、剥離シート１３３ａを剥がす。そして、作業者は、剥離シート１３３ａが剥離されることで露出した接着面とフォトダイオードアレイ１３２とを貼りあわせる。この際、作業者は、フォトダイオードアレイ１３２の基板と、基板と略同じ大きさにトリミングされた透明接着シート１３３とが正対するように貼り合わせを行なう。
【００５０】
これにより、図７Ｂに示すように、フォトダイオードアレイ１３２と透明接着シート１３３との貼り付けが完了する。後述する第２工程では、剥離シート１３３ｂを透明接着シート１３３から剥離して露出した接着面とシンチレータアレイ１３１との接着が行なわれる。
【００５１】
なお、第１工程は、作業者が目視により手動で行なっても良いが、作業効率を上げるため、第１工程用に作製された「治具（貼り合わせ治具）」を用いて行なわれても良い。この貼り合わせ治具は、例えば、「被貼付側」のステージと、「貼付側」のステージとを有し、「貼付側」のステージが、回転移動により、「被貼付側」のステージと密着するように構成される。また、「被貼付側」のステージには、フォトダイオードアレイ１３２の基台を固定可能なアタッチメントが設けられ、「貼付側」のステージには、透明接着シート１３３を固定可能なアタッチメントが設けられる。これら２つのアタッチメントの位置は、「貼付側」のステージが回転移動して「被貼付側」のステージと密着した場合に、フォトダイオードアレイ１３２の基板と、基板と略同じ大きさにトリミングされた透明接着シート１３３とが正対するように調整されている。
【００５２】
作業者は、「被貼付側」のステージに、フォトダイオードアレイ１３２をセットし、「貼付側」のステージに透明接着シート１３３をセットする。そして、作業者は、例えば、透明接着シート１３３の剥離シート１３３ａを剥離する。そして、作業者は、「貼付側」のステージを「被貼付側」のステージに向かって回転移動する。そして、作業者は、「貼付側」のステージを「被貼付側」のステージに対して若干の力を加えて圧着する。これにより、第１工程が完了する。
【００５３】
或いは、第１工程は、作業効率を更に上げるため、「貼り合わせ装置」を用いて半自動的又は自動的に行なわれても良い。例えば、貼り合わせ装置は、吸引により透明接着シート１３３をパッドに吸着する。そして、例えば、貼り合わせ装置又は作業者は、透明接着シート１３３の剥離シート１３３ａを剥離する。そして、例えば、貼り合わせ装置は、フォトダイオードアレイ１３２が配置されたステージを移動して、透明接着シート１３３で露出された接着面に押し付ける。これにより、第１工程が完了する。なお、パッドの位置とステージの位置とは、透明接着シート１３３が吸着される吸着面と、フォトダイオードアレイ１３２の基板とが正対するように調整される。
【００５４】
次に、第２工程について、図８、図９Ａ〜Ｂ、図１０Ａ〜Ｄ、及び図１１を用いて説明する。図８、図９Ａ〜Ｂ、図１０Ａ〜Ｄ、及び図１１は、第２工程を説明するための図である。
【００５５】
第２工程では、図８に示すように、フォトダイオードアレイ１３２と接着した透明接着シート１３３の他方の接着面と、シンチレータアレイ１３１とが接着される。シンチレータアレイ１３１と透明接着シート１３３とを接着する第２工程では、フォトダイオードアレイ１３２の各フォトダイオードとシンチレータアレイ１３１の各区画のシンチレータとが対向する位置となるように、位置決めを行なう必要がある。第２工程を手動により行なう場合、作業者は、フォトダイオードアレイ１３２と接着された透明接着シート１３３から剥離シート１３３ｂを剥がして、接着面を露出させる。そして、作業者は、目視により位置決めを行なった後、シンチレータアレイ１３１を、透明接着シート１３３の接着面にマウントする。
【００５６】
なお、第２工程は、作業効率を上げるため、画像処理を用いた位置決めが行なわれても良い。かかる場合、第２工程では、例えば、ステージ上で、シンチレータアレイ１３１の画像が撮影され、ＰＣ（Personal  Computer）等の画像処理装置は、シンチレータアレイ１３１の画像から、画像解析により、シンチレータアレイ１３１の各区画のシンチレータの格子パターンを抽出する。そして、ステージ上で、フォトダイオードアレイ１３２の画像が撮影され、画像処理装置は、フォトダイオードアレイ１３２の画像から、画像解析により、フォトダイオードアレイ１３２の各フォトダイオードの格子パターンを抽出する。
【００５７】
そして、画像処理装置、又は、作業者は、シンチレータアレイ１３１の格子パターンと、フォトダイオードアレイ１３２の格子パターンとから、シンチレータアレイ１３１とフォトダイオードアレイ１３２とのステージ上での位置決めを行なう。その後、画像処理装置、又は、作業者は、フォトダイオードアレイ１３２と接着した透明接着シート１３３の他方の接着面と、シンチレータアレイ１３１とを接着する。これにより、第２工程が完了する。
【００５８】
更に、上記の第２工程は、気泡抑制の観点から、図９Ａ〜Ｂ及び図１０Ａ〜Ｄに例示する方法で行なわれても良い。図９Ａ〜Ｂに例示する方法は、シンチレータアレイ１３１に発生する可能性がある反りを利用して気泡抑制を行なう方法である。また、図１０Ａ〜Ｄに例示する方法は、フォトダイオードアレイ１３２の材質を利用して気泡抑制を行なう方法である。
【００５９】
第１工程では、透明接着シート１３３の一方の接着面と、フォトダイオードアレイ１３２とが接着される。そして、図９Ａ〜Ｂに例示する第２工程の変形例では、透明接着シート１３３の他方の接着面にシンチレータアレイ１３１を接着する際に、該接着面とシンチレータアレイ１３１が反りにより突出している突出面とを接着する。具体的には、この突出面は、図３Ａ〜Ｄを用いて説明したシンチレータアレイ１３１の製造工程により定まる面である。より具体的には、この突出面は、シンチレータアレイ１３１の製造工程で、シンチレータアレイ１３１を複数の区画に分割するために形成された溝に反射材を接着した後に、当該反射材を露出するために切り落とされた面である。
【００６０】
すなわち、シンチレータアレイ１３１は、反射材を接着剤により固定接着することで、図９Ａに示すように、切り落とし面が突出する反りが発生する。そこで、第２工程の変形例では、図９Ｂに示すように、シンチレータアレイ１３１の切り落とし面を、フォトダイオードアレイ１３２に接着された透明接着シート１３３に向かって圧着する。これにより、シンチレータアレイ１３１とフォトダイオードアレイ１３２との間の空気を中央部から両端部に向かって逃がしながら、気泡が入ることなく、シンチレータアレイ１３１とフォトダイオードアレイ１３２とを接着させることができる。その結果、検出器モジュール１３０の検出特性を更に安定させることができる。
【００６１】
また、図１０Ａ〜Ｄに例示する第２工程の変形例では、フォトダイオードアレイ１３２が若干の柔軟性を有する材質で構成される場合、透明接着シート１３３でフォトダイオードアレイ１３２が接着された反対側の接着面を、フォトダイオードアレイ１３２の反りにより突出させた状態で、シンチレータアレイ１３１に接着する。
【００６２】
例えば、フォトダイオードアレイ１３２の基板は、検出器１３の規格（例えば、１６列、８０列、３２０列等）に応じて、セラミック基板が用いられる場合や、プリント基板（ＰＣＢ：Printed  Circuit  Board)が用いられる場合等がある。プリント基板が用いられる場合、フォトダイオードアレイ１３２は、若干の柔軟性を有する。そこで、この第２工程の変形例では、フォトダイオードアレイ１３２は、例えば、図１０Ａに示すように、中央部が上に向かって凸のパッドで押し上げられる。これにより、図１０Ｂに示すように、上面に接着面が露出した透明接着シート１３３が貼り付けられているフォトダイオードアレイ１３２は、上側が若干突出した状態で反る。この状態で、マウント治具は、フォトダイオードアレイ１３２に向かって、シンチレータアレイ１３１を上から下に向かって移動される（図１０Ｃを参照）。これにより、シンチレータアレイ１３１とフォトダイオードアレイ１３２との間の空気を中央部から両端部に向かって逃がしながら第２工程を行なうことができ、その結果、気泡を抑制することができる。
【００６３】
また、フォトダイオードアレイ１３２の若干の柔軟性を利用した第２工程の変形例は、シンチレータアレイ１３１の反りを利用した変形例（図９Ａ〜Ｂを参照）と組み合わせることが可能である。かかる場合、第２工程では、フォトダイオードアレイ１３２に貼り付けられた透明接着シート１３３で露出している接着面は、図１０Ｄに示すように、シンチレータアレイ１３１が反りにより突出している突出面（切り落とし面）と接着される。これにより、シンチレータアレイ１３１とフォトダイオードアレイ１３２との間の空気を中央部から両端部に向かって更に効率的に逃がしながら第２工程を行なうことができ、その結果、気泡を抑制することができる。
【００６４】
なお、図１０Ａ〜Ｄに示す変形例を行なう場合は、基台を外したフォトダイオードアレイ１３２を用いて基板の柔軟性を利用した第２工程を行ない、その後、基台を取り付ける必要がある。
【００６５】
そして、本実施形態では、第２工程の最終工程として、更に、以下の処理が行なわれても良い。第２工程の最終工程では、シンチレータアレイ１３１とフォトダイオードアレイ１３２とが透明接着シート１３３を介して積層された構造体を、加圧により圧着する。具体的には、この構造体は、図１１に示すように、ローラにより圧着される。なお、図１１に示す構造体（シンチレータアレイ１３１＋透明接着シート１３３＋フォトダイオードアレイ１３２）は、柔軟な素材により形成された圧着パッドにより圧着されても良い。
【００６６】
この第２工程の最終工程を行なうことで、シンチレータアレイ１３１とフォトダイオードアレイ１３２との間の接着強度を増して気泡が抑制でき、検出特性を更に安定化させることができる。第２工程の最終工程は、手動で行なわれる場合であっても、自動で行なわれる場合であっても良い。
【００６７】
図１２は、本実施形態に係る検出器モジュール製造方法で製造された検出器モジュールを示す図である。
【００６８】
上述した第１工程及び第２工程が行なわれることで、図１２に例示する検出器モジュール１３０が製造される。図１２に例示する検出器モジュール１３０は、例えば、図２に例示するように、チャンネル方向及び体軸方向（スライス方向）に配列され、検出器１３とされる。かかる検出器１３は、図１に例示するＸ線ＣＴ装置に組み込まれ、Ｘ線ＣＴ画像データの生成に用いられる。なお、上述した第１工程及び第２工程では、表面リフレクター付きのシンチレータアレイ１３１を用いるか、表面リフレクター無しのシンチレータアレイ１３１を用いて最後に表面リフレクターを形成するかは、製造方法に応じて適宜決定される。
【００６９】
上述したように、本実施形態では、シンチレータアレイ１３１とフォトダイオードアレイ１３２とを光学的に接合する接着層として、透明接着シート１３３を用いる。本実施形態では、透明接着シート１３３を用いることにより、接着剤を用いる従来方法と比較して、アレイ間距離を容易にコントロールでき、また、貼り付け工程で発生する気泡や、シンチレータアレイ１３１の反りを簡易に抑制することができる。
【００７０】
また、従来方法では、接着剤注入前には、アレイ間距離を確保した状態での位置決め工程及びアレイ間距離維持工程が必要となり、接着剤注入後には、余剰接着剤の除去工程、ＵＶ照射による接着剤硬化工程が必要となる。一方、本実施形態に係る方法では、アレイ間距離維持工程、余剰接着剤の除去工程及び硬化工程が不要となる。更に、本実施形態に係る方法では、位置決め工程を一方の接着対象物に透明接着シートを貼り付けた状態で行なえることから、位置決め工程を簡易に行なうことができる。
【００７１】
また、本実施形態に係る方法では、気泡及び反りを容易に抑制可能であることから、検出器モジュール１３０の検出特性を安定化させて、画質を安定化させることができる。従って、本実施形態に係る方法では、不良品の発生率を低く押さえることができ、歩留まりを向上することができる。
【００７２】
また、本実施形態で用いられるＯＣＡ等は、ＵＶ硬化型の接着剤と比較して安価であり、また、本実施形態に係る方法は、従来方法と比較して、少ない工程数で簡易に検出器モジュール１３０を製造可能であることから、製造に要する時間を低減可能である。また、本実施形態に係る方法は、製造に要する時間を低減可能であることから、製造工程に要する人員を少なくすることも可能である。従って、本実施形態に係る方法では、製造コストを低減することができる。
【００７３】
なお、上記の実施形態で説明した検出器モジュール製造方法は、例えば、Ｘ線診断装置の検出器モジュールの製造方法としても適用可能である。また、上記の実施形態で説明した検出器モジュール製造方法は、ガンマ線で効率的に発光するシンチレータ部材から製造されたシンチレータアレイ１３１を用いることで、核医学イメージング装置の検出器モジュールの製造方法としても適用可能である。
【００７４】
また、上記の実施形態において説明した各処理のうち、自動的に行なわれるものとして説明した処理の全部または一部を手動的に行なうこともでき、或いは、手動的に行なわれるものとして説明した処理の全部又は一部を公知の方法で自動的に行なうこともできる。この他、上記文書中や図面中で示した処理手順、制御手順、具体的名称、各種のデータやパラメータを含む情報については、特記する場合を除いて任意に変更することができる。
【００７５】
以上、説明したとおり、本実施形態によれば、歩留まりを向上することができる。
【００７６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７７】
１３１  シンチレータアレイ
１３２  フォトダイオードアレイ
１３３  透明接着シート
【図１】
2015049122.tif 000003
【図２Ａ】
2015049122.tif 000004
【図２Ｂ】
2015049122.tif 000005
【図３Ａ】
2015049122.tif 000006
【図３Ｂ】
2015049122.tif 000007
【図３Ｃ】
2015049122.tif 000008
【図３Ｄ】
2015049122.tif 000009
【図４】
2015049122.tif 000010
【図５】
2015049122.tif 000011
【図６】
2015049122.tif 000012
【図７Ａ】
2015049122.tif 000013
【図７Ｂ】
2015049122.tif 000014
【図８】
2015049122.tif 000015
【図９Ａ】
2015049122.tif 000016
【図９Ｂ】
2015049122.tif 000017
【図１０Ａ】
2015049122.tif 000018
【図１０Ｂ】
2015049122.tif 000019
【図１０Ｃ】
2015049122.tif 000020
【図１０Ｄ】
2015049122.tif 000021
【図１１】
2015049122.tif 000022
【図１２】
2015049122.tif 000023